(57)【特許請求の範囲】
【請求項１】
流路中の対象箇所の異物を除去する清掃機構と、
前記清掃機構の動作を判定する判定装置とを備え、
前記清掃機構は、
前記流路を流通する流体に晒される位置に配置され、温度変化によって変形する変形部材と、
前記変形部材の変形によって前記対象箇所に対して進出及び後退して、前記対象箇所の異物を除去する清掃部材とを有し、
前記判定装置は、
前記清掃部材に連動して変位する磁石と、
前記磁石による磁界を検出する磁気センサと、
前記磁気センサの検出結果に基づいて前記清掃機構の動作を判定する判定部とを有し、
前記清掃部材は、前記対象箇所から後退した第１位置と前記対象箇所まで進出した第２位置との間で変位し、
前記磁気センサは、前記清掃部材の前記第１位置と前記第２位置との間の全区間において前記磁石による磁界を検出するように構成されている清掃装置。
【請求項２】
請求項１に記載の清掃装置において、
前記清掃部材は、前記変形部材の変形に応じて変位することによって前記対象箇所としての開口に進入して、前記開口の異物を除去する清掃装置。
【請求項３】
請求項１又は２に記載の清掃装置において、
前記磁気センサは、ホール素子である清掃装置。
【請求項４】
請求項１乃至３の何れか１つに記載の清掃装置において、
前記判定部は、前記清掃部材が前記第２位置まで進出した後に前記第１位置まで後退した場合に、前記清掃機構が１回の清掃動作を行ったと判定する清掃装置。
【請求項５】
請求項４に記載の清掃装置において、
前記判定部は、前記清掃機構の清掃動作の回数を計数する清掃装置。
【請求項６】
請求項５に記載の清掃装置において、
前記判定部は、所定の単位時間あたりの前記清掃機構の清掃動作の回数が所定の範囲外の場合に警告を行う清掃装置。
【請求項７】
請求項１に記載の清掃装置において、
前記判定部は、前記清掃部材が前記第２位置まで進出する際の進出速度が所定の第１閾値よりも小さいか否かを前記磁気センサの検出結果に基づいて判定する清掃装置。
【請求項８】
請求項１に記載の清掃装置において、
前記判定部は、前記清掃部材が前記第２位置まで進出した状態が所定の判定時間を超えるか否かを前記磁気センサの検出結果に基づいて判定する清掃装置。
【請求項９】
請求項１に記載の清掃装置において、
前記判定部は、前記清掃部材が前記第１位置まで後退する際の後退速度が所定の第２閾値よりも小さいか否かを前記磁気センサの検出結果に基づいて判定する清掃装置。
【請求項１０】
流体が流通する流路が形成されたケーシングと、
前記流路に設けられた、弁孔を有する弁座と、
前記ケーシングに設けられ、前記弁孔を開閉する弁体と、
請求項１〜９の何れか１つに記載の清掃装置とを備え、
前記清掃機構は、対象箇所としての前記弁孔の異物を除去する弁装置。
【請求項１１】
請求項１０に記載の弁装置において、
前記弁体は、前記ケーシング内にドレンが流入する際には前記弁孔を開く一方、前記ケーシング内に蒸気が流入する際には前記弁孔を閉じるように構成され、
前記変形部材は、前記弁孔を通過した流体に晒される位置に配置され、温度が低くなるほど前記清掃部材を前記弁孔へ進出させるように変形する弁装置。
【発明の詳細な説明】
【技術分野】
【０００１】  ここに開示された技術は、清掃装置及びそれを備える弁装置に関する。
【背景技術】
【０００２】  従来より、温度変化によって変形する変形部材によって清掃部材を変位させて、対象箇所の異物を除去する清掃機構を備えた清掃装置が知られている。【０００３】  例えば、特許文献１には、清掃装置を備えた弁装置が開示されている。この弁装置は、流体が流通する流路が形成されたケーシングと、弁孔を有する弁座と、弁孔を開閉する弁体と、弁孔の異物を清掃する清掃装置とを備えている。弁装置は、ケーシング内にドレンが流入する際には開弁して、ドレンの通過を許容する一方、ケーシング内に蒸気が流入する際には閉弁して、蒸気の通過を阻止する。清掃装置は、流体の温度に応じて清掃を行う清掃機構を有している。清掃機構は、流体の流路に配置され、温度変化によって変形する変形部材と、変形部材の変形に応じて変位することによって弁孔の異物を除去する清掃部材とを有している。変形部材は、弁座の下流側であって、弁孔を通過するドレンに晒される位置に配置されている。【０００４】  弁装置が正常に動作しているときには、ドレンが弁孔から断続的に流出し、変形部材は比較的高温になっている。変形部材は、温度が高くなるほど収縮するように構成されている。そのため、弁装置が正常に動作している際には、変形部材は収縮した状態となっており、それにより、清掃部材は、弁孔から後退した位置に位置している。一方、弁孔に異物が付着して、弁孔からのドレンの流出が長期間停止すると、変形部材は比較的低温となり、伸長する。その結果、清掃部材は、弁孔に進入し、弁孔に付着した異物を押しのけて除去する。弁孔の異物が除去されると、弁孔からのドレンの流出が再開され、やがて変形部材は高温になって収縮する。それに応じて、清掃部材は、弁孔から後退する。
【先行技術文献】
【特許文献】
【０００５】
【特許文献１】特許第６０２２７３３号公報
【発明の概要】
【発明が解決しようとする課題】
【０００６】  前述のような清掃機構は、清掃の要否（例えば、弁孔の詰まり）をセンシングする必要がなく、さらには、清掃部材の駆動に電力を要しないという利点がある。その反面、清掃部材の駆動に外部からの電気信号等を要しないが故に、清掃機構の動作状況を把握することが難しい。【０００７】  ここに開示された技術は、かかる点に鑑みてなされたものであり、その目的とするところは、清掃機構の動作状況を容易に把握することにある。
【課題を解決するための手段】
【０００８】  ここに開示された清掃装置は、流路中の対象箇所の異物を除去する清掃機構と、前記清掃機構の動作を判定する判定装置とを備え、前記清掃機構は、前記流路を流通する流体に晒される位置に配置され、温度変化によって変形する変形部材と、前記変形部材の変形によって前記対象箇所に対して進出及び後退して、前記対象箇所の異物を除去する清掃部材とを有し、前記判定装置は、前記清掃部材に連動して変位する磁石と、前記磁石による磁界を検出する磁気センサと、前記磁気センサの検出結果に基づいて前記清掃機構の動作を判定する判定部とを有する。【０００９】  ここに開示されて弁装置は、流体が流通する流路が形成されたケーシングと、前記流路に設けられた、弁孔を有する弁座と、前記ケーシングに設けられ、前記弁孔を開閉する弁体と、前記清掃装置とを備え、前記清掃機構は、対象箇所としての前記弁孔の異物を除去する。
【発明の効果】
【００１０】  前記清掃装置によれば、清掃機構の動作状況を容易に把握することができる。【００１１】  前記弁装置によれば、清掃機構の動作状況を容易に把握することができる。
【図面の簡単な説明】
【００１２】
【図１】図１は、ドレントラップの概略構成を示す断面図である。
【図２】図２は、判定装置の機能ブロック図である。
【図３】図３は、清掃部材が弁孔へ進入した状態の清掃機構を示す拡大断面図である。
【図４】図４は、清掃部材の位置と磁気センサによって検出される磁界との関係を示すグラフである。
【図５】図５は、判定部による判定制御のフローチャートである。
【図６】図６は、変形例に係る判定装置の機能ブロック図である。
【発明を実施するための形態】
【００１３】  以下、例示的な実施形態を図面に基づいて詳細に説明する。図１は、ドレントラップ１００の概略構成を示す断面図である。
【００１４】  ドラントラップ１００は、流体が流通する流路が形成されたケーシング１と、流路に設けられた、弁孔２１を有する弁座２と、ケーシング１に設けられ、弁孔２１を開閉する弁体３と、清掃装置４とを備えている。ドレントラップ１００は、弁装置の一例である。
【００１５】  ドレントラップ１００に流入する流体は、ドレン（復水）及び蒸気である。ドレントラップ１００は、ドレンの通過を許容する一方、蒸気の流通を阻止する。つまり、弁体３は、ケーシング１内にドレンが流入する際には弁孔２１を開く一方、ケーシング１内に蒸気が流入する際には弁孔２１を閉じるように構成されている。
【００１６】  詳しくは、ケーシング１は、本体１１と底１２とがボルトで締結された密閉容器である。ケーシング１の内部には、流入路１３と、弁室１４と、流出路１５とが形成されている。流入路１３は、弁室１４の上部に連通している。流出路１５は、弁室１４の下部に連通している。流入路１３、弁室１４及び流出路１５によって、流体の流路が形成されている。流体は、流入路１３から弁室１４に流入し、弁室１４を通過して、流出路１５から流出する。流入路１３の上流端は、ケーシング１から外方に開口し、流入口を形成している。流出路１５の下流端は、ケーシング１から外方に開口し、流出口を形成している。
【００１７】  弁座２は、ケーシング１内であって、弁室１４おける流出路１５の開口端に設けられている。弁座２は、弁室１４から流出路１５の上流端にネジ締結されている。弁座２には、弁室１４と流出路１５とを連通させる弁孔２１が形成されている。弁孔２１は、清掃装置４が清掃する対象箇所としての開口の一例である。
【００１８】  弁体３は、中空の球形状に形成されている。弁体３は、所謂、フロートである。弁体３は、弁室１４に移動自在に収容されている。弁室１４には、弁体３が弁室１４の底に位置するときに弁体３を支持する複数の受け部１９が設けられている。弁体３は、弁室１４の底に位置するときに、受け部１９と弁座２とによって安定的に支持されている。このとき、弁体３は、弁座２に着座して、弁孔２１を閉じる。
【００１９】  ドレントラップ１００の基本的な動作について説明する。
【００２０】  ドレントラップ１００は、例えば、蒸気システムの配管に設けられている。ドレントラップ１００には、配管を流通する蒸気及びドレンが流入する。弁室１４にドレンが少ない場合又はドレンが貯留されていない場合、弁体３は弁座２に着座して、弁孔２１を閉じている。ケーシング１にドレンが流入すると、ドレンは、流入路１３を通って弁室１４に流入する。弁室１４のドレンの貯留量が増加していくと、弁体３はドレンによって浮上し、弁座２から離座して弁孔２１を開く。これにより、弁室１４のドレンは、弁孔２１から流出路１５へ流出する。弁孔２１から流出したドレンは、流出路１５を通って、ケーシング１から流出する。
【００２１】  一方、ケーシング１に蒸気が流入すると、蒸気は、弁室１４のうちドレンの上方の空間に滞留する。弁孔２１が開いている間は、弁室１４のドレンは流出路１５へ流出していく。弁室１４の蒸気が増加し、ドレンが減少していくと、やがて弁体３が弁座２に着座して弁孔２１を閉じる。その結果、弁室１４から流出路１５への蒸気の流出が阻止される。
【００２２】  その後、弁室１４内の蒸気が凝縮したり、ケーシング１内にドレンが流入したりして、弁室１４内のドレンの貯留量が増加すると、前述の如く、弁体３が浮上して弁孔２１が開き、弁室１４からのドレンの流出が再開される。
【００２３】  このように、ドレントラップ１００は、蒸気の通過を阻止しながら、ドレンを断続的に通過させる。
【００２４】  次に、清掃装置４について説明する。清掃装置４は、対象箇所としての弁孔２１の異物を除去する清掃機構５と、清掃機構５の動作を判定する判定装置６とを備えている。
【００２５】  清掃機構５は、それ自体の温度変化によって変形する変形部材５１と、弁孔２１の異物を除去する清掃部材５２とを有している。
【００２６】  変形部材５１は、流路を流通する流体に晒される位置に配置されている。変形部材５１は、いわゆる温度応動部材である。例えば、変形部材５１は、熱膨張係数の異なる２種類の金属を接着した板状のバイメタルで形成されていてもよい。変形部材５１は、バイメタルで形成された平板状の線条を捩じり、それを所定の軸心周りに螺旋状に巻いて形成されている。つまり、変形部材５１は、全体としてはコイル形状をしている。変形部材５１は、低温になるとコイル形状の半径が小さくなってコイル形状の全長が長くなり、高温になると該半径が大きくなって該全長が短くなる。このように、変形部材５１は、コイル形状の軸心方向に収縮した、比較的高温の第１状態と該軸心方向に伸長した、比較的低温の第２状態との間で、温度変化に応じて変形する。
【００２７】  清掃部材５２は、変形部材５１の変形によって弁孔２１（即ち、流路中の対象箇所）に対して進出及び後退する。清掃部材５２は、所定の軸心Ｘの方向に延びる略円柱の棒状に形成されている。清掃部材５２の一端部である第１端部５２ａは、清掃部材５２のうち第１端部５２ａ以外の部分よりも細く形成されている。第１端部５２ａの外径は、弁孔２１の内径よりも小さくなっている。清掃部材５２は、変形部材５１の変形に応じて変位することによって弁孔２１に進入して、弁孔２１の異物を除去する。
【００２８】  清掃部材５２は、軸心Ｘの方向に摺動自在にガイド５５に支持されている。ガイド５５は、中空状、例えば、円筒状に形成されている。清掃部材５２は、ガイド５５のうち円筒の軸心方向の両端の壁部５５ａ，５５ｂを貫通している。清掃部材５２の第１端部５２ａがガイド５５から外部に露出していると共に、清掃部材５２の第２端部５２ｂ（第１端部５２ａとは反対側の端部）もガイド５５から外部に露出している。ガイド５５には、ガイド５５の内外を連通させる複数の開口５５ｄが形成されている。
【００２９】  変形部材５１は、ガイド５５の内側において、清掃部材５２の中間部５２ｃに巻き付けられている。変形部材５１のコイル形状の軸心は、清掃部材５２の軸心Ｘと一致している。変形部材５１の一端は、清掃部材５２が貫通する、ガイド５５の壁部５５ｂ（ガイド５５の円筒の軸心方向の両端の壁部のうち第２端部５２ｂに近い方の壁部）に固定されている。変形部材５１の他端は、清掃部材５２に設けられた受け部５２ｄに固定されている。これにより、変形部材５１が伸長すると、第１端部５２ａがガイド５５から離れる方向に清掃部材５２が変位する。一方、変形部材５１が収縮すると、第１端部５２ａがガイド５５に近づく方向に清掃部材５２が変位する。
【００３０】  清掃機構５は、ケーシング１に形成された収容室１６に配置されている。収容室１６は、弁孔２１の軸心の方向に延びるように、流出路１５から分岐して形成されている。すなわち、収容室１６と流出路１５とは連通している。収容室１６は、底１２に形成された開口と、該開口を塞ぐように底１２に取り付けられたキャップ１７とで区画されている。清掃部材５２の軸心Ｘが弁孔２１の軸心と一致し且つ、第１端部５２ａが弁孔２１の近くに位置し、第２端部５２ｂが弁孔２１から離れて位置する状態で、ガイド５５が収容室１６に収容されている。清掃部材５２のうち少なくとも第１端部５２ａは、流出路１５内に位置している。そのため、清掃部材５２は、流路を流通する流体に晒される位置（より詳しくは、弁孔２１よりも下流側の流体に晒される位置）に配置されている。
【００３１】  流出路１５を流通する流体の一部は、収容室１６に流入する。収容室１６に流入した流体は、開口５５ｄを介してガイド５５の内部に流入する。つまり、変形部材５１は、弁孔２１を通過した流体に晒される位置に配置されている。変形部材５１の温度は、変形部材５１の周囲の流体（即ち、収容室１６内部の流体）の温度に応じて変化する。変形部材５１は、前述の如く、温度が低くなるほど伸長する。第１端部５２ａが弁孔２１の近くに位置するように清掃機構５が配置されているので、変形部材５１は、温度が低くなるほど清掃部材５２を弁孔２１へ進出させる。
【００３２】  尚、清掃部材５２は、キャップ１７を貫通して、収容室１６の外側まで延びている。第２端部５２ｂは、キャップ１７の外側に位置している。
【００３３】  判定装置６は、清掃部材５２に連動して変位する磁石６１と、磁石６１による磁界を検出する磁気センサ６２と、判定部６４とを有している。判定部６４は、磁気センサ６２の検出結果に基づいて清掃機構５の動作を判定する。図２は、判定装置６の機能ブロック図である。判定装置６は、図２に示すように、記憶部６５と表示部６６と通信部６７とをさらに有していてもよい。
【００３４】  キャップ１７には、判定装置６のケーシング６８が取り付けられている。清掃部材５２のうちキャップ１７の外側に延びている部分は、ケーシング６８内に挿入されている。清掃部材５２の第２端部５２ｂは、ケーシング６８に形成されたガイド孔６９に挿入されている。ガイド孔６９は、清掃部材５２を軸心Ｘの方向に案内する。
【００３５】  磁石６１は、清掃部材５２に設けられている。具体的には、磁石６１は、清掃部材５２のうちガイド孔６９に挿入された部分、即ち、第２端部５２ｂに設けられている。
【００３６】  磁気センサ６２は、ケーシング６８のうちガイド孔６９の近傍（即ち、磁石６１の近傍）に設けられている。磁気センサ６２は、清掃部材５２の変位に基づく磁石６１の磁界の変化を検出する。磁石６１は、清掃部材５２に連動して変位するので、磁界の変化を検出することは、実質的に清掃部材５２の変位を検出することに等しい。磁気センサ６２は、ホール素子であり得る。ホール素子である磁気センサ６２は、例えば、ホールＩＣであってもよい。
【００３７】  判定部６４は、プロセッサを有していてもよい。判定部６４は、磁気センサ６２の検出結果が入力されている。判定部６４は、検出結果にＡ／Ｄ変換等の処理を施す。例えば、判定部６４は、磁気センサ６２の検出結果を記憶部６５に保存する。例えば、判定部６４は、清掃機構５の動作として、清掃機構５が清掃動作を行ったか否かを磁気センサ６２の検出結果に基づいて判定する。詳しくは、磁石６１が清掃部材５２と連動して変位するので、判定部６４は、磁気センサ６２の検出結果に基づいて清掃部材５２の変位を評価する。判定部６４は、清掃部材５２の変位に基づいて、清掃機構５の清掃動作が行われたか否かを判定する。
【００３８】  さらには、判定部６４は、清掃機構５の清掃動作の回数を計数する。判定部６４は、計数結果を表示部６６に表示させる。判定部６４は、計数結果を記憶部６５に保存してもよいし、通信部６７を介して外部装置に送信してもよい。判定部６４による判定の詳細は、後述する。
【００３９】  続いて、清掃機構５の動作について説明する。図３は、清掃部材５２が弁孔２１へ進入した状態の清掃機構５を示す拡大断面図である。
【００４０】  ドレントラップ１００が前述のような動作を継続していくと、ドレントラップ１００の内部にスケール等の異物が堆積する場合がある。特に、弁孔２１は、流路が絞られており、異物が堆積しやすい。その結果、弁孔２１が異物で詰まる場合がある。そのような場合に、清掃機構５が弁孔２１の異物を除去する。
【００４１】  ドレントラップ１００が正常に動作している場合（即ち、弁孔２１に異物が詰まっていない場合）は、清掃機構５の清掃部材５２は、図１に示すように、第１端部５２ａが弁孔２１から後退した状態となる位置（以下、この位置を「第１位置Ｐ１」と称する）に位置している。例えば、弁体３が弁孔２１を開いている場合には、弁孔２１から流出路１５に流出したドレンの一部が、収容室１６に流入する。収容室１６に流入したドレンは、開口５５ｄを介してガイド５５の内部に流入する。蒸気システムを流通しているドレンは比較的高温であるため、ガイド５５に流入したドレンによって変形部材５１は加熱される。変形部材５１は、高温になると収縮した第１状態となり、清掃部材５２を第１位置Ｐ１へ移動させる。このとき、清掃部材５２の第１端部５２ａが弁孔２１から後退している。すなわち、変形部材５１の第１状態は、清掃部材５１を弁孔２１から後退させた状態である。
【００４２】  また、弁体３が弁孔２１を閉じている場合には、流出路１５における流体の流通が停止しているので、収容室１６への高温のドレンの流入も停止している。そのため、収容室１６に滞留するドレンは、ケーシング１を介して放熱し得る。しかし、この場合には、流通を阻止された蒸気がケーシング１内に滞留している。この蒸気によって、収容室１６のドレンの温度低下が抑制され、変形部材５１の伸長も抑制される。
【００４３】  蒸気システムが運転を継続している場合には、しばらくすると、ドレントラップ１００に高温のドレンが流入してくる。その結果、収容室１６に再び、高温のドレンが流入する。そのため、弁孔２１の開閉が正常に繰り返されている間は、清掃部材５２は、第１位置Ｐ１又は第１位置Ｐ１の近傍に位置することになる。
【００４４】  一方、弁孔２１が異物で詰まってしまうと、ケーシング１にドレンが流入しても、ドレンが流通できない。そのため、弁室１４にはドレンが滞留し、新たなドレンが流入できなくなる。弁室１４及び収容室１６を含むケーシング１に滞留するドレンは、ケーシング１を介して外部に放熱する。弁孔２１が異物で詰まった場合には、異物を除去しない限り、ドレンの流通は再開されない。その結果、変形部材５１は、第１状態よりも低温となり、伸長した第２状態となる。変形部材５１は、図３に示すように、清掃部材５２を弁孔２１の方へ変位させ、第１端部５２ａが弁孔２１へ進入する。清掃部材５２は、弁孔２１を弁孔２１の下流側から貫通する。第１端部５２ａが弁孔２１へ進入すると、弁孔２１を塞ぐ異物を第１端部５２ａが除去する。第１端部５２ａが弁孔２１を貫通した状態の清掃部材５２の位置を第２位置Ｐ２と称する。すなわち、変形部材５１の第２状態は、第１状態よりも低温であって、清掃部材５２を弁孔２１に進出させた状態である。
【００４５】  このとき、第１端部５２ａによる貫通だけでは、弁孔２１を塞ぐ異物を完全には除去することができない場合もあり得る。しかし、第１端部５２ａが異物を貫通すると、第１端部５２ａと残留する異物との間に隙間が形成され、その隙間を通ってドレンが流通するようになる。このドレンの流れによって弁孔２１に残留する異物が除去される。こうして、弁孔２１の異物が概ね除去される。
【００４６】  弁孔２１からのドレンの流出が再開されると、ケーシング１への高温のドレンの流入も再開され、やがて収容室１６にも高温のドレンが再び流入する。すると、変形部材５１が収縮して、清掃部材５２が第１位置Ｐ１へ移動する。こうして、ドレントラップ１００が正常に動作するようになる。
【００４７】  このように、清掃機構５は、電気信号による制御及び人的操作なしに、自動で弁孔２１を清掃する。
【００４８】  清掃機構５のこのような清掃動作において、磁気センサ６２によって検出される磁界（以下、単に「検出磁界」ともいう）は、清掃部材５２の変位に応じて変化する。図４は、清掃部材５２の位置と磁気センサ６２の検出磁界との関係を示すグラフである。詳しくは、図１，３に示すように、清掃部材５２が第１位置Ｐ１（図１）に位置するときに磁石６１が磁気センサ６２に最も接近し、清掃部材５２が第２位置Ｐ２（図３）に位置するときに磁石６１が磁気センサ６２から最も離れるように、磁気センサ６２は配置されている。磁気センサ６２の検出磁界は、磁石６１と磁気センサ６２との距離の２乗に反比例する。そのため、図４に示すように、清掃部材５２が第１位置Ｐ１から第２位置Ｐ２へ移動するに従って、検出磁界は大幅に減少していく。
【００４９】  ここで、磁気センサ６２は、清掃部材５２が第２位置Ｐ２の方へ移動する途中で磁石６１の磁界を検出できなくなるのではなく、清掃部材５２が第２位置Ｐ２に位置するときにも磁石６１の磁界を検出する。つまり、磁気センサ６２は、清掃部材５２の第１位置Ｐ１と第２位置Ｐ２との間の全区間において磁石６１の磁界を検出するように構成されている。このため、検出磁界に基づいて、清掃部材５２が第１位置Ｐ１と第２位置Ｐ２との間のどこに位置するのかを判定することができる。
【００５０】  判定装置６の判定部６４は、磁気センサ６２の検出結果に基づいて清掃機構５の動作（例えば、清掃機構５が清掃動作を行った否か）を判定している。
【００５１】  例えば、判定部６４は、清掃部材５２が第２位置Ｐ２まで進出した後に第１位置Ｐ１まで後退した場合に清掃機構５が１回の清掃動作を行ったと判定する。さらに、判定部６４は、清掃機構５の清掃動作の回数を計数する。それに加えて、判定部６４は、清掃機構５の不具合を診断している。例えば、判定部６４は、清掃部材５２が第２位置Ｐ２まで進出した状態が所定の判定時間以上継続した場合に警告を行う。
【００５２】  判定部６４の詳しい判定制御について、図５のフローチャートを参照しながら説明する。図５は、判定部６４による判定制御のフローチャートである。
【００５３】  判定部６４は、ステップＳ１において、磁気センサ６２の検出磁界Ｈが所定の判定磁界Ｈｒよりも小さいか否かを判定する。判定磁界Ｈｒは、弁孔２１に異物が詰まっているか否かを判定できる清掃部材５２の位置に対応する磁界である。例えば、判定磁界Ｈｒは、第１位置Ｐ１と第２位置Ｐ２との間のであってドレントラップ１００が通常の動作をしている際には清掃部材５２がそこまで変位しない場所に清掃部材５２が位置するときの磁気センサ６２の検出磁界である。検出磁界Ｈが判定磁界Ｈｒよりも小さい場合には、弁孔２１に異物が詰まった状態、即ち、弁孔２１の清掃が必要な状態であると判定することができる。判定部６４は、検出磁界Ｈが判定磁界Ｈｒ以上である場合には、ステップＳ１の判定を繰り返し行う。一方、検出磁界Ｈが判定磁界Ｈｒよりも小さい場合には、判定部６４はステップＳ２へ進む。
【００５４】  判定部６４は、ステップＳ２において、計時を開始する。つまり、検出磁界Ｈが判定磁界Ｈｒよりも低くなってからの時間が、判定部６４によって計時される。
【００５５】  続いて、判定部６４は、ステップＳ３において、磁気センサ６２の検出磁界Ｈが所定の下限値Ｈ２よりも小さくなったか否かを判定する。下限値Ｈ２は、図４に示すように、清掃部材５２が実質的に第２位置Ｐ２に位置すると判定できる値であって、例えば清掃部材５２が第２位置Ｐ２に位置するときの検出磁界よりも少し大きい値である。つまり、検出磁界Ｈが下限値Ｈ２よりも小さいことは、清掃部材５２が実質的に第２位置Ｐ２まで進出していることを意味する。検出磁界Ｈが下限値Ｈ２よりも小さい場合には、判定部６４は、ステップＳ６へ進む。一方、検出磁界Ｈが下限値Ｈ２以上である場合には、判定部６４は、ステップＳ４へ進む。
【００５６】  ステップＳ４においては、判定部６４は、タイムアウトか否かを判定する。ステップＳ４では、ステップＳ２において計時を開始してからの経過時間が所定の第１判定時間を超えた場合にタイムアウトであると判定される。第１判定時間は、検出磁界Ｈが判定磁界Ｈｒを下回ることによって弁孔２１の清掃が必要であると判定されてから清掃部材５２が第２位置Ｐ２に到達するであろうと想定される時間又はその時間に余裕を持たせた時間に設定されている。弁孔２１が詰まると、ケーシング１内への新たなドレン又は蒸気の流入が停止するので、清掃部材５２の周囲のドレンの温度はしだいに低下していく。清掃部材５２の周囲のドレンの温度の低下速度は、主としてドレントラップ１００の放熱性能に依存する。そのため、検出磁界Ｈが判定磁界Ｈｒを下回ってから清掃部材５２が第２位置Ｐ２に到達するまで（即ち、変位部材５１が第２状態となるまで）の時間は、概ね予測できる。ステップＳ２で計時を開始してからの経過時間が第１判定時間を過ぎていない場合には、判定部６４は、ステップＳ３に戻る。つまり、ステップＳ２で計時を開始してから第１判定時間を経過するまでは、判定部６４は、検出磁界Ｈが下限値Ｈ２を下回ること、即ち、清掃部材５２が第２位置Ｐ２に到達することを待つ。
【００５７】  尚、ステップＳ４においてタイムアウトを判定することは、清掃部材５２の進出速度を判定することに実質的に等しい。つまり、検出磁界Ｈが判定磁界Ｈｒを下回ってから清掃部材５２が第２位置Ｐ２に到達するまでの時間を評価することは、検出磁界Ｈが判定磁界Ｈｒを下回ったときの清掃部材５２の位置から第２位置Ｐ２まで清掃部材５２が変位する際の清掃部材５２の進出速度を評価することに実質的に等しい。
【００５８】  一方、清掃部材５２の第２位置Ｐ２への到達を待っている間に経過時間が第１判定時間を超えると、判定部６４は、警告を行う（ステップＳ５）。つまり、検出磁界Ｈが判定磁界Ｈｒを下回ってから第１判定時間が経過しても清掃部材５２が第２位置Ｐ２へ到達していないということは、清掃機構５の不具合の可能性がある。清掃機構５の不具合としては、変形部材５１の劣化及び清掃部材５２の摺動抵抗の増加などが挙げられる。判定部６４は、このような状況を警告によってユーザに報知することができる。警告の方法は、様々である。例えば、判定部６４は、表示部６６の表示態様を警告に相当する態様に変更してもよい。あるいは、表示部６６に警告を表示できる場合には、判定部６４は、表示部６６に警告を表示させてもよい。あるいは、判定部６４は、通信部６７を介して外部装置へ警告を発してもよい。
【００５９】  判定部６４は、警告を行った後は、判定制御を終了する。
【００６０】  ステップＳ６においては、判定部６４は、検出磁界Ｈが下限値Ｈ２よりも大きいか否かを判定する。検出磁界Ｈが下限値Ｈ２よりも大きくなることは、弁孔２１の異物の詰まりが解消し、或る程度高温のドレンが弁孔２１から流出して変形部材５１の温度が上昇したことを意味する。つまり、ステップＳ６においては、弁孔２１の詰まりが解消されたか否かが判定される。検出磁界Ｈが下限値Ｈ２よりも大きい場合には、判定部６４は、ステップＳ９へ進む。一方、検出磁界Ｈが下限値Ｈ２以下の場合には、判定部６４は、ステップＳ７へ進む。
【００６１】  ステップＳ７においては、判定部６４は、タイムアウトか否かを判定する。ステップＳ７では、ステップＳ３において検出磁界Ｈが下限値Ｈ２よりも小さくなってからの経過時間（すなわち、清掃部材５２が弁孔２１を貫通してからの経過時間であり、この時間を以下、「貫通時間」ともいう）が所定の第２判定時間を超えた場合にタイムアウトであると判定される。第２判定時間は、清掃部材５２が弁孔２１を貫通してから高温のドレンが弁孔２１から再び流出するようになると想定される時間又はその時間に余裕を持たせた時間に設定されている。清掃部材５２が弁孔２１を貫通して弁孔２１からドレンが少しでも流出し始めてから、弁孔２１に残留する異物もドレンにより除去され、ケーシング１内に貯留されていたドレンと入れ替わって高温のドレンがケーシング１内に流入し、弁孔２１から高温のドレンが流出するまでの時間は、或る程度予測できる。遅くとも高温のドレンが弁孔２１から流出し始めるであろうと想定される時間に、第２判定時間が設定されている。
【００６２】  貫通時間が第２判定時間を過ぎていない場合には、判定部６４は、ステップＳ６に戻る。つまり、貫通時間が第２判定時間を超えるまでは、判定部６４は、検出磁界Ｈが下限値Ｈ２よりも大きくなること、即ち、弁孔２１の詰まりが解消することを待つ。
【００６３】  一方、弁孔２１の詰まりの解消を待っている間に貫通時間が第２判定時間を超えると、判定部６４は、警告を行う（ステップＳ８）。つまり、清掃部材５２が弁孔２１を貫通してから第２判定時間が過ぎても弁孔２１の詰まりが解消しないということは、清掃部材５２の第１端部５２ａの破損等の不具合の可能性や、異物の粘性が大きいために清掃部材５２による貫通では異物を適切に除去できないといった可能性がある。判定部６４は、このような状況を警告によってユーザに報知することができる。警告の方法は、ステップＳ５と同様である。
【００６４】  判定部６４は、警告を行った後は、判定制御を終了する。
【００６５】  ステップＳ９においては、判定部６４は、検出磁界Ｈが所定の上限値Ｈ１よりも大きくなったか否かを判定する。上限値Ｈ１は、図４に示すように、清掃部材５２が実質的に第１位置Ｐ１に位置すると判定できる値であって、例えば清掃部材５２が第１位置Ｐ１に位置するときの検出磁界よりも少し小さい値である。つまり、検出磁界Ｈが上限値Ｈ１よりも大きいことは、清掃部材５２が実質的に第１位置Ｐ１まで後退していることを意味する。検出磁界Ｈが上限値Ｈ１よりも大きい場合には、判定部６４は、清掃機構５の１回の清掃動作が完了したと判定し、ステップＳ１２へ進む。つまり、判定部６４は、清掃部材５２が第２位置Ｐ２まで進出した後に第１位置Ｐ１まで後退した場合に、清掃機構５が１回の清掃動作を行ったと判定する。一方、検出磁界Ｈが上限値Ｈ１以下である場合には、判定部６４は、ステップＳ１０へ進む。
【００６６】  ステップＳ１０においては、判定部６４は、タイムアウトか否かを判定する。ステップＳ１０では、ステップＳ６において検出磁界Ｈが下限値Ｈ２よりも大きくなってからの経過時間（以下、単に「後退時間」ともいう）が所定の第３判定時間を超えた場合にタイムアウトであると判定される。第３判定時間は、検出磁界Ｈが下限値Ｈ２よりも大きくなることによって弁孔２１の詰まりが解消したと判定されてから清掃部材５２が第１位置Ｐ１に到達すると想定される時間又はその時間に余裕を持たせた時間に設定されている。弁孔２１の詰まりが解消されると、流出路１５及び収容室１６には高温のドレンが流入し、清掃部材５２の周囲のドレンの温度は上昇していく。高温のドレンの温度は、ドレントラップ１００が組み込まれた蒸気システムに依存して概ね決まっている。そのため、遅くてもいつまでに変形部材５１が第１状態（すなわち、清掃部材５２を第１位置Ｐ１まで変位させる状態）となるかは概ね予測できる。後退時間が第３判定時間を過ぎていない場合には、判定部６４は、ステップＳ９に戻る。つまり、後退時間が第３判定時間を超えるまでは、判定部６４は、検出磁界Ｈが上限値Ｈ１以上となること、即ち、清掃部材５２が第１位置Ｐ１に到達することを待つ。
【００６７】  尚、ステップＳ１０においてタイムアウトを判定することは、清掃部材５２の後退速度を判定することに実質的に等しい。検出磁界Ｈが下限値Ｈ２よりも大きくなってから清掃部材５２が第１位置Ｐ１に到達するまでの時間を評価することは、清掃部材５２が第２位置Ｐ２から第１位置Ｐ１まで変位する際の後退速度を評価することに実質的に等しい。
【００６８】  一方、清掃部材５２の第１位置Ｐ１への到達を待っている間に第３判定時間を経過すると、判定部６４は、警告を行う（ステップＳ１１）。つまり、検出磁界Ｈが下限値Ｈ２より大きくなってから第３判定時間が経過しても清掃部材５２が第１位置Ｐ１へ到達していないということは、変形部材５１の劣化及び清掃部材５２の摺動抵抗の増加などの不具合又は、清掃部材５２が弁孔２１に引っ掛かって後退不能となっている等の可能性がある。判定部６４は、このような状況を警告によってユーザに報知することができる。警告の方法は、ステップＳ５と同様である。
【００６９】  判定部６４は、警告を行った後は、判定制御を終了する。
【００７０】  ステップＳ１２においては、判定部６４は、清掃機構５の清掃動作の回数を計数する。つまり、判定部６４は、清掃機構５の清掃回数を１回増加させる。判定部６４は、清掃機構５の清掃回数を記憶部６５に保存する。判定部６４は、清掃機構５の清掃回数を表示部６６に表示させる。また、判定部６４は、清掃回数を通信部６７を介して外部装置に送信する。
【００７１】  続いて、判定部６４は、ステップＳ１３において、単位時間あたりの清掃回数、即ち、清掃頻度が所定の判定回数Ｐより多いか否かを判定する。例えば、判定部６４は、過去１週間あたりの清掃回数が判定回数Ｐよりか多いかを判定する。単位時間あたりの清掃回数が多い場合には、弁孔２１が詰まりやすい等の理由が考えられる。清掃部材５２の第１端部５２ａの破損又は清掃部材５２の弁孔２１への進入量が不十分である等の理由によって、清掃部材５２による弁孔２１の異物の除去が不十分となって弁孔２１が詰まりやすくなる可能性がある。
【００７２】  単位時間あたりの清掃回数が判定回数Ｐより多い場合には、判定部６４は、警告を行う（ステップＳ１４）。判定部６４は、前述のような状況を警告によってユーザに報知することができる。警告の方法は、ステップＳ５と同様である。
【００７３】  一方、単位時間あたりの清掃回数が判定回数Ｐ以下の場合には、判定部６４はステップＳ１へ戻る。
【００７４】  このように、判定部６４は、ステップＳ１からの処理を繰り返すことによって、清掃機構５の動作を判定して清掃動作の回数を計数すると共に、清掃機構５の不具合を診断する。ユーザは、表示部６６を見れば清掃機構５の清掃回数を知ることができるので、清掃機構５が適切に動作しているか否かを判断することができる。さらには、表示部６６に警告が表示されている場合には、ユーザは、清掃機構５の不具合を知ることができ、清掃機構５の点検を行い得る。
【００７５】  清掃装置４は、清掃部材５２に連動して変位する磁石６１と磁石６１による磁界を検出する磁気センサ６２とを有しているので、磁気センサ６２の検出磁界に基づいて清掃機構５の動作状況を容易に把握することができる。
【００７６】  また、磁気センサ６２を採用することによって、清掃部材５２の変位を清掃部材５２と非接触のセンサで実質的に検出することができる。変形部材５１が流体に晒されている構成においては、流体が比較的高温の場合、清掃部材５２も高温になり得る。磁気センサ６２は、清掃部材５２と非接触なので、磁気センサ６２が高温となることが防止される。つまり、高温の環境下においても、清掃機構５の動作状況を容易に把握することができる。
【００７７】  さらに、磁気センサ６２がホール素子を含んでいるので、磁石６１による磁界の変化を連続的に検出することができ、ひいては、清掃部材５２の変位を連続的に検出することができる。つまり、清掃部材５２が或る位置（例えば、第１位置Ｐ１）から移動したとか、或る位置（例えば、第２位置Ｐ２）に到達したとかいったことだけでなく、清掃部材５２がどこまで変位したかとか、清掃部材５２がどこに位置しているか等を検出することができる。さらには、清掃部材５２の変位量や速度も知ることができる。
【００７８】  また、磁気センサ６２は、清掃部材５２が第１位置Ｐ１と第２位置Ｐ２との間の全区間において磁石６１の磁界を検出するように構成されている。そのため、磁気センサ６２の検出磁界に基づいて、清掃部材５２が第１位置Ｐ１と第２位置Ｐ２との間のどこに位置するのかを判定することができる。さらには、清掃部材５２が第１位置Ｐ１又は第２位置Ｐ２へ達したか否かを容易に判定することができるので、清掃機構５の清掃動作が完全に行われたか否かを容易に判定することができる。
【００７９】  また、清掃部材５２のうち対象箇所の異物を除去する第１端部５２ａと反対側の端部である第２端部５２ｂに磁石６１が配置されているので、磁気センサ６２を対象箇所とは離れた位置、即ち、対象箇所に影響を与えない位置に配置することができる。つまり、対象箇所は流路中に位置しているので、磁気センサ６２を流体の流通に影響を与えない位置に配置することができる。前述の構成の場合、磁気センサ６２をケーシング１の外部に配置することができる。
【００８０】  以上のように、清掃装置４は、流路中の対象箇所の異物を除去する清掃機構５と、清掃機構５の動作を判定する判定装置６とを備え、清掃機構５は、流路を流通する流体に晒される位置に配置され、温度変化によって変形する変形部材５１と、変形部材５１の変形によって対象箇所に対して進出及び後退して、対象箇所の異物を除去する清掃部材５２とを有し、判定装置６は、清掃部材５２に連動して変位する磁石６１と、磁石６１による磁界を検出する磁気センサ６２と、磁気センサ６２の検出結果に基づいて清掃機構５の動作を判定する判定部６４とを有する。
【００８１】  この構成によれば、清掃機構５は、変形部材５１がその温度変化によって変形する。清掃部材５２は、変形部材５１の変形によって変位させられ、対象箇所の異物を除去する。このように、清掃機構５は、人的操作や外部からの電気信号なしに、変形部材５１の温度に依存する変形を駆動源として、対象箇所の異物を除去できる。
【００８２】  このとき、清掃部材５２に連動して磁石６１も変位する。この磁石６１による磁界を磁気センサ６２が検出する。これにより、磁石６１による磁界の変化に基づいて清掃部材５２の変位を把握することができる。その結果、清掃装置４は、清掃機構５の動作状況を容易に把握することができる。
【００８３】  また、清掃部材５２は、変形部材５１の変形に応じて変位することによって対象箇所としての開口（例えば、弁孔２１）に進入して、開口の異物を除去する。
【００８４】  この構成によれば、清掃部材５２の清掃対象は、開口である。清掃部材５２は、開口に進入することによって開口の異物を除去する。この構成にでは、清掃部材５２が異物を押しのけることができずに開口に進入できないとか、清掃部材５２が異物を部分的に押しのけることができても残留する異物に引っ掛かって開口から後退できないといった状況が起こるかもしれない。しかし、そのような場合であっても、磁気センサ６２が磁石６１による磁界を検出することによって清掃動作５２の動きを把握することができる。
【００８５】  また、磁気センサ６２は、ホール素子である。
【００８６】  この構成によれば、清掃部材５２の変位に基づく磁界の変化を連続的に検出することができる。例えば、磁気センサ６２としては、リードスイッチを含むセンサを採用することもできる。しかし、そのようなセンサは、磁石６１がリードスイッチをＯＮ／ＯＦＦさせる位置に存在するか否かしか判定することができない。それに対し、ホール素子は、磁界の大きさをリニアに出力することができる。そのため、ホール素子を含む磁気センサ６２は、清掃部材５２が或る位置に存在するか否かだけでなく、清掃部材５２の連続的な変位を判定することができる。例えば、清掃部材５２が対象箇所の方へ変位したけれども、対象箇所に達することなく元の位置へ戻ったとか、清掃部材５２が対象箇所へ進出したまま戻っていないとかといった状況を把握することができる。このように、清掃部材５２の動作をより詳細に知ることができる。
【００８７】  さらに、清掃部材５２は、対象箇所から後退した第１位置Ｐ１と対象箇所まで進出した第２位置Ｐ２との間で変位し、判定部６４は、清掃部材５２が第２位置Ｐ２まで進出した後に第１位置Ｐ１まで後退した場合に、清掃機構５が１回の清掃動作を行ったと判定する。
【００８８】  この構成によれば、清掃部材５２が第２位置Ｐ２まで進出することによって、対象箇所の異物を除去する。しかし、清掃部材５２が対象箇所まで進出するとすぐに対象箇所の異物が除去されるとは限らず、異物が部分的に除去されて形成された隙間を流体が流通して異物が洗い流されることによって異物が除去される場合もある。清掃部材５２が対象箇所に進出したことだけでは、清掃が適切に完了したかまでは判定することが難しい場合もある。そこで、判定部６４は、その後に清掃部材５２が第１位置Ｐ１まで後退することをもって清掃機構５の１回の清掃動作を判定する。対象箇所の異物が除去されると流体の流通が再開され、流体の温度が上昇する。流体の温度が適切な温度に達すると、変形部材５１が第１状態に変形し、清掃部材５２も第１位置Ｐ１まで後退する。その結果、判定部６４は、清掃機構５の清掃動作を正確に判定することができる。
【００８９】  また、判定部６４は、清掃機構５の清掃動作の回数を計数する。
【００９０】  この構成によれば、判定部６４が清掃機構５の清掃動作の回数を計数するので、ユーザは計数結果に基づいて清掃機構５が適切に動作しているか否かを判断することができる。
【００９１】  それに加えて、判定部６４は、所定の単位時間あたり（例えば、直近の１週間）の清掃機構５の清掃動作の回数が所定の範囲外の場合に警告を行う。
【００９２】  この構成によれば、判定部６４は、清掃機構５の清掃動作の頻度を監視して、頻度が適切でない場合に警告を行う。例えば、清掃機構５の清掃動作の頻度が多すぎる場合には判定部６４が警告を行う。これにより、ユーザは、清掃機構５及び清掃装置４の点検を適切な時期に行うことができる。
【００９３】  また、判定部６４は、清掃部材５２が第２位置Ｐ２まで進出した状態が所定の判定時間以上継続した場合に警告を行う。
【００９４】  この構成によれば、判定部６４は、清掃機構５の動作を監視して、清掃部材５２が第２位置Ｐ２まで進出したにもかかわらずそこから後退しない場合に警告を行う。清掃部材５２が第２位置Ｐ２、即ち、対象箇所まで進出したということは、対象箇所の清掃箇所の清掃が必要な状況であり、それに応じて清掃部材５２が異物の除去を試みたことを意味する。それにもかかわらず、清掃部材５２が第２位置Ｐ２に留まるということは、清掃が適切に行われていない。そこで、判定部６４は、清掃部材５２が第２位置Ｐ２まで進出したにもかかわらず第２位置Ｐ２から後退しない場合に警告を行う。これにより、ユーザは、清掃機構５及び清掃装置４の点検を適切な時期に行うことができる。
【００９５】  さらに、清掃部材５２は、棒状に形成されており、清掃部材５２の第１端部５２ａ（一端部）が対象箇所の異物を除去し、清掃部材の第２端部５２ｂ（他端部）に磁石６１が設けられている。
【００９６】  この構成によれば、磁石６１が設けられている、清掃部材５２の第２端部５２ｂは、対象箇所の異物を除去する第１端部５２ａと反対側の端部である。そのため、磁気センサ６２を対象箇所とは離れた位置、即ち、対象箇所に影響を与えない位置に配置することができる。
【００９７】  また、ドレントラップ１００（弁装置）は、流体が流通する流入路１３、弁室１４及び流出路１５（流路）が形成されたケーシング１と、流路に設けられた、弁孔２１を有する弁座２と、ケーシング１に設けられ、弁孔２１を開閉する弁体３と、清掃装置４とを備え、清掃機構５は、対象箇所としての弁孔２１の異物を除去する。
【００９８】  この構成によれば、変形部材５１の温度は、流路を流通する流体の温度に依存して変化する。例えば、弁孔２１が異物で詰まると流路における流体の流通が停止する。流路を流体が流通しているときと流体の流通が停止しているときとでは変形部材５１の周囲の流体の温度は変化する。変形部材５１は、その温度変化を利用して清掃部材５２を変位させる。清掃部材５２は、変形部材５１の変形によって変位させられ、弁孔２１の異物を除去する。すなわち、弁孔２１が異物で詰まった際の変形部材５１の温度変化による変形によって、清掃部材５２は弁孔２１の方へ変位して異物を除去する。このように、清掃機構５では、変形部材５１の温度に依存する変形を駆動源とする。そして、清掃機構５は、弁孔２１に異物が詰まっているか否かに応じて清掃部材５２を動作させて、清掃部材５２に弁孔２１の異物を除去させる。
【００９９】  このとき、清掃部材５２に連動して磁石６１も変位する。この磁石６１による磁界を磁気センサ６２が検出する。これにより、磁石６１による磁界の変化に基づいて清掃部材５２の変位を把握することができる。その結果、清掃機構５の動作状況を容易に把握することができる。
【０１００】  さらに、弁体３は、ケーシング１内にドレンが流入する際には弁孔２１を開く一方、ケーシング１内に蒸気が流入する際には弁孔２１を閉じるように構成され、変形部材５１は、弁孔２１を通過した流体に晒される位置に配置され、温度が低くなるほど清掃部材５２を弁孔２１へ進出させるように変形する。
【０１０１】  この構成によれば、ドレントラップ１００は、ドレンの流通を許容する一方、蒸気の流通を阻止する。変形部材５１は、弁孔２１を通過する流体、即ち、ドレンに晒されている。ドレントラップ１００に流入する蒸気及びドレンは、比較的高温なので、変形部材５１は、ドレンが弁孔２１を通過している間は比較的高温に維持される。
【０１０２】  一方、弁孔２１に異物が詰まってドレンの流通が停止すると、変形部材５１の周囲温度は、ドレンが流通している場合に比べて低くなり得る。それにより、変形部材５１の温度は、ドレンが流通していたときと比べて低くなる。変形部材５１は、温度が低くなるほど清掃部材５２を弁孔２１へ進出させる。その結果、清掃部材５２は、やがて弁孔２１に進入し、弁孔２１の異物を除去する。弁孔２１の異物が除去されると、ドレンの弁孔２１の通過が再開され、変形部材５１は比較的高温となり、清掃部材５２を後退させる。
【０１０３】  《その他の実施形態》  以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０４】  例えば、清掃装置４が適用される弁装置は、ドレントラップ１００に限定されるものではない。例えば、フロート式ではないドレントラップに清掃装置４が適用されてもよい。あるいは、ドレンの通過を許容する一方、蒸気の通過を阻止するような弁装置ではなく、流体の流れを制御する弁装置であれば、任意の弁装置に清掃装置４を適用することができる。弁装置にスケール等の異物が堆積することによって流体の流通が停止してしまう弁装置であれば、変形部材５１の温度を異物の有無に応じて変化させる、ひいては、変形させることができるので、清掃装置４を採用することができる。
【０１０５】  また、清掃機構５は、清掃部材５２が弁孔２１を貫通するようにして弁孔２１を清掃するものに限定されない。例えば、弁体のシール面と弁座のシール面との間に進入及び後退するように清掃部材５２が配置され、シール面に付着した異物を清掃部材５２が清掃するような構成であってもよい。つまり、清掃の対象箇所は弁孔２１等の開口に限定されない。対象箇所がどのような場合であっても、変形部材５１の温度変化に起因する変形によって清掃部材５２が変位させられる構成であれば、清掃部材の変位を磁気センサによって実質的に検出する清掃装置を採用することができる。
【０１０６】  さらに、変形部材５１は、バイメタルに限定されるものではない。例えば、温度に応じて膨張及び収縮する感温液又はワックス等を含む熱応動要素によって変形部材が形成されていてもよい。
【０１０７】  また、変形部材５１は、バイメタルで形成されているとしても、その形状は、前述のようなコイル形状に限定されるものではない。バイメタルの変形によって清掃部材５２を変位させることができる限り、バイメタルは任意に形成することができる。
【０１０８】  また、変形部材５１及び清掃部材５２は、弁孔２１の下流側に配置されているが、これに限られるものではない。変形部材５１が流路を流通する流体に晒される限り、変形部材５１及び清掃部材５２は、任意の場所に配置することができる。変形部材５１及び清掃部材５２は、弁孔２１の上流側に配置されてもよい。例えば、弁孔２１の上流側に弁体が存在しない弁装置においては、そのような構成を採用し得る。
【０１０９】  磁石６１の位置は、清掃部材５２の第２端部５２ｂに限定されるものではない。磁気センサ６２が磁石６１の磁界を検出できる限り、磁石６１は、清掃部材５２の任意の位置（例えば、中間部５２ｃ）に配置することができる。さらには、磁石６１は、清掃部材５２と連動して変位する限り、清掃部材５２に直接配置されていなくてもよい。清掃部材５２に連動する別の部材が設けられている場合には、その別の部材に磁石６１が設けられていてもよい。
【０１１０】  磁気センサ６２も、判定装置６のケーシング６８以外の場所（例えば、ドレントラップ１００のケーシング１）に配置されていてもよい。つまり、磁石６１の磁界を検出できる限り、任意の場所に配置することができる。
【０１１１】  磁気センサ６２は、ホール素子に限定されない。例えば、磁気センサ６２は、磁石６１によってリードスイッチのＯＮ及びＯＦＦが切り替えられるセンサであってもよい。ただし、前述の如く、ホール素子を含む磁気センサ６２は、連続的な磁界の変化を検出できる点で好ましい。
【０１１２】  図５のフローチャートに示す判定制御は、一例に過ぎず、判定部６４の制御はこれに限定されるものではない。判定部６４が磁気センサ６２の検出結果に基づいて清掃機構５の動作を判定する限り、フローチャート中の任意のステップを省略したり、ステップの順番を変更したり、複数のステップを並行して処理してもよい。また、清掃機構５の清掃回数の計数は、判定部６４の制御において必須ではない。例えば、判定部６４は、清掃機構５の清掃動作があったことを判定した場合に、その旨を単に記憶部６５に記憶、表示部６６に表示、又は、通信部６７を介して外部装置に送信するだけであってもよい。清掃機構５の不具合の診断は、判定部６４の制御において必須ではない。さらに、判定部６４は、清掃機構５の不具合を診断する場合、不具合があると判定しても必ずしも警告を行う必要はなく、判定結果を記憶部６５に保存したり、通信部６７を介して外部装置に送信したりしてもよい。
【０１１３】  清掃装置４が判定する清掃機構５の動作は、清掃動作に限定されない。清掃装置４は、清掃機構５が単に動作しているか否かを判定してもよい。例えば、判定部６４は、所定の期間内に清掃部材５２が変位しているか否かを判定してもよい。例えば、判定部６４は、１週間の間に清掃部材５２が変位しているか否かを判定してもよい。
【０１１４】  また、前述の例では、判定部６４は、清掃部材５２が第２位置Ｐ２まで進出した後に第１位置Ｐ１まで後退した場合に、清掃機構５が１回の清掃動作を行ったと判定している。ただし、清掃機構５の１回の清掃動作の判定はこれに限定されない。例えば、判定部６４は、清掃部材５２が第２位置Ｐ２まで進出した後に、第１位置Ｐ１と第２位置Ｐ２との間の所定の位置まで後退した場合に清掃機構５が１回の清掃動作を行ったと判定してもよい。
【０１１５】  前述のステップＳ４では、検出磁界Ｈが判定磁界Ｈｒを下回ってから清掃部材５２が第２位置Ｐ２に到達するまでの時間によって実質的に清掃部材５２の進出速度の適否が判定されている。しかし、清掃部材５２の進出速度の判定は、これに限定されない。例えば、磁気センサ６２の検出磁界に基づいて検出される清掃部材５２の位置の時間変化から清掃部材５２の進出速度を求めてもよい。ステップＳ１０における清掃部材５２の後退速度についても同様である。また、清掃部材５２の速度又は清掃に要する時間は、清掃部材５２の進出と退出とで別々に評価しなくてもよい。つまり、判定部６４は、清掃部材５２が清掃動作を開始してから清掃動作を完了するまでの平均速度又はそれに要する全体の時間を評価してもよい。
【０１１６】  判定部６４は、ステップＳ１，Ｓ３，Ｓ９において、検出磁界Ｈに代えて、清掃部材５２の位置に基づいて判定を行ってもよい。つまり、判定部６４は、図４に示す、清掃部材５２の位置と検出磁界Ｈとの関係に基づいて検出磁界Ｈを清掃部材５２の位置に変換した後、清掃部材５２の位置が所定の位置に達したか否かを判定してもよい。この場合、清掃部材５２の位置と磁気センサ６２の検出磁界との関係を示す式等を、予め記憶部６５に記憶しておけばよい。
【０１１７】  また、ステップＳ１３，１４では、清掃頻度が判定回数Ｐより多い場合に警告を行っているが、警告を行う条件はこれに限定されない。判定部６４は、清掃頻度が多すぎる場合に警告を行うだけでなく、清掃頻度が少なすぎる場合に警告を行ってもよい。例えば、判定部６４は、過去１か月あたりの清掃回数が所定の判定回数よりも少ない場合に警告を行ってもよい。この場合、判定回数は、流体（蒸気）の質（銅の析出量、清缶剤の種類等）に応じて決定することができる。
【０１１８】  判定装置６は、前述の構成に限定されない。例えば、判定装置６は、表示部６６及び／又は通信部６７を有していなくてもよい。例えば、判定装置６が表示部６６を有していない場合、判定部６４は、清掃機構５の動作状況の判定結果を通信部６７を介して外部装置へ送信してもよい。判定装置６が通信部６７を有していない場合、判定部６４は、清掃機構５の動作状況の判定結果を表示部６６に表示してもよい。判定装置６が表示部６６及び通信部６７を有していない場合、判定部６４は、清掃機構５の動作状況の判定結果を記憶部６５に保存するだけでもよい。その場合、ユーザは、判定装置６の記憶部６５にアクセスして、判定結果を取得する。
【０１１９】  清掃装置４において、清掃機構５と判定装置６とは一体的に形成されていなくてもよい。例えば、判定装置６の一部が、判定装置６の他の部分から分離されていてもよい。図６は、変形例に係る判定装置２０６の機能ブロック図である。判定装置２０６は、取得装置２０７と外部装置２０８とを有している。取得装置２０７は、ドレントラップ１００に取り付けられる。取得装置２０７と外部装置２０８とは、無線通信を行う。
【０１２０】  取得装置２０７は、磁石６１と磁気センサ６２とを有している。取得装置２０７は、磁気センサ６２の検出結果を処理する処理部２７１と、記憶部２７２と、外部装置２０８と通信を行う通信部２７３とをさらに有している。外部装置２０８は、取得装置２０７と通信を行う通信部２８１と、記憶部２８２と、表示部２８３と、判定部２８４を有している。
【０１２１】  処理部２７１は、磁気センサ６２の検出結果にＡ／Ｄ変換等の処理を施す。処理部２７１は、磁気センサ６２の検出結果（Ａ／Ｄ変換後）を記憶部２７２に保存したり、記憶部２７２に保存された検出結果を通信部２７２を介して外部装置２０８に送信したりする。
【０１２２】  判定部２８４は、前記判定部６４と同様に機能する。すなわち、判定部２８４は、通信部２８１を介して取得装置２０７から受信した、磁気センサ６２の検出結果に基づいて清掃機構５の動作を判定する。判定部２８４の清掃機構５の動作の判定内容は、判定部６４と同様である。判定部２８４は、清掃機構５の清掃動作の回数又は警告等を表示する必要がある場合には、前述の表示部６６に代えて表示部２８３に表示する。判定部２８４は、取得装置２０７から受信した、磁気センサ６２の検出結果並びに清掃機構５の動作の判定結果等を記憶部２８２に保存する。
【０１２３】  このように、判定装置２０６のうち取得装置２０７は、磁石６１による磁界を検出し、その検出結果を保存するだけで、検出結果に基づく清掃機構５の動作の判定は行わなくてもよい。外部装置２０８が清掃機構５の動作の判定を行う。尚、取得装置２０７と外部装置２０８との通信は、無線であっても有線であってもよい。
【産業上の利用可能性】
【０１２４】  以上説明したように、ここに開示された技術は、清掃装置及びそれを備えた弁装置について有用である。
【符号の説明】
【０１２５】１００    ドレントラップ（弁装置）１        ケーシング２        弁座２１      弁孔（対象箇所、開口）３        弁体４        清掃装置５        清掃機構５１      変形部材５２      清掃部材５２ａ    第１端部（一端部）５２ｂ    第２端部（他端部）６，２０６  判定装置６１      磁石６２      磁気センサ６４，２８４  判定部
【要約】  清掃装置（４）は、流路中の対象箇所の異物を除去する清掃機構（５）と、清掃機構（５）の動作を判定する判定装置（６）とを備え、清掃機構（５）は、流路を流通する流体に晒される位置に配置され、温度変化によって変形する変形部材（５１）と、変形部材（５１）の変形によって対象箇所に対して進出及び後退して、対象箇所の異物を除去する清掃部材（５２）とを有し、判定装置（６）は、清掃部材（５２）に連動して変位する磁石（６１）と、磁石（６１）による磁界を検出する磁気センサ（６２）と、磁気センサ（６２）の検出結果に基づいて清掃機構（５）の動作を判定する判定部（６４）とを有する。【図１】
0006895025.tif 000002
【図２】
0006895025.tif 000003
【図３】
0006895025.tif 000004
【図４】
0006895025.tif 000005
【図５】
0006895025.tif 000006
【図６】
0006895025.tif 000007